(57)【要約】【課題】安価に製造できるとともに、使用条件の拡大を図ることができ、さらには携帯性にも優れた容器ホルダーを提供すること。【解決手段】バンド１２は、可撓性を有する合成繊維からなる帯状に形成され、マグネット１３の連通孔１３ａに挿通されている。バンド１２の表面には第１の面ファスナー１５がまた、バンド１２の裏面には前記第１の面ファスナー１４と係合する第２の面ファスナー１５が縫い付けられている。被固定体側吸着体としての金属プレート１６は前記マグネット１３の平面積と略同面積に形成され、裏面には両面テープ１７が貼付されている。【選択図】      図１
0003117338.tif 000002
【実用新案登録請求の範囲】
【請求項１】
容器の胴部外周形状に沿って変形し、前記容器の胴部に巻き付く可撓性を有するバンドと、
前記バンドに装着される容器側吸着体と、
被固定体に取着され、前記容器側吸着体に対して着脱可能な被固定体側吸着体とを備えたことを特徴とする容器ホルダー。
【請求項２】
前記両吸着体は磁力によって互いに吸着することを特徴とする請求項１に記載の容器ホルダー。
【考案の詳細な説明】
【技術分野】
【０００１】
本考案は、ペットボトル等の容器を所定位置に固定保持する容器ホルダーに関するものである。
【背景技術】
【０００２】
従来よりペットボトル等の容器を固定保持する保持具が提案されている。このような容器固定保持具の一例として特許文献１を示す。
【特許文献１】特開２００１−２９４２４０号公報
【考案の開示】
【考案が解決しようとする課題】
【０００３】
上記特許文献１の容器ホルダーは、合成樹脂等により一体成型された本体の把持部によりペットボトル等の容器の胴部を把持する。そして、下方に向かって延びる装着部を自転車の荷籠や紐、バンド等に引っかけることでペットボトル等の容器を所定位置に固定保持させておくことができるように構成されている。
しかしながら、一体成型するためには金型等も必要となり、製造コストが高くなるという問題があった。また、容器ホルダーを固定保持するためには、紐やバンド等の装着部が引っかかるための引っかかり部がなければ固定保持できないことから、容器ホルダーを使用できる条件が限定されてしまうという問題があった。さらに、容器ホルダーは一体成型されていることから大型化となり、携帯しにくいという問題があった。
本考案は、このような従来の技術に存在する問題点に着目してなされたものである。その目的とするところは、安価に製造できるとともに、使用条件の拡大を図ることができ、さらには携帯性にも優れた容器ホルダーを提供することにある。
【課題を解決するための手段】
【０００４】
上記の目的を達成するために請求項１の考案では、容器の胴部外周形状に沿って変形し、前記容器の胴部に巻き付く可撓性を有するバンドと、前記バンドに装着される容器側吸着体と、被固定体に取着され、前記容器側吸着体に対して着脱可能な被固定体側吸着体とを備えたことをその要旨とする。
請求項２に記載の考案では、請求項１に記載の考案の構成に加え、前記両吸着体は磁力によって互いに吸着することをその要旨とする。
【０００５】
請求項１に記載の構成によれば、バンドを容器の胴部外周に沿って巻き付ける。そして、所定の被固定体に被固定体側吸着体を取着する。この状態で、被固定体側吸着体へ容器側吸着体を吸着させることにより、容器が被固定体の所定位置に固定保持される。
容器側吸着体
請求項２に記載の構成によれば、請求項１に記載の構成の作用に加え、磁力によって容器は被固定体の所定位置に固定保持される。
【考案の効果】
【０００６】
上記各請求項の考案では、安価に製造できるとともに、使用条件の拡大を図ることができ、さらには携帯性にも優れるという効果を奏する。
【考案を実施するための最良の形態】
【０００７】
以下、本考案を容器としてペットボトル（本実施の形態では容量が５００ｍｌのもので具体化）用のホルダーで具体化した一実施の形態を図面に基づいて説明する。
図１〜図３に示すように、容器ホルダー１１を構成するバンド１２は、可撓性を有する合成繊維（ポリプロピレン等）からなる帯状に形成されている。５００ｍｌのペットボトル（直径約７０ｍｍ）Ｐを対象とした場合、バンド１２の幅は２０〜４０ｍｍ、長さは２４０〜２７０ｍｍが好ましい（素材、幅及び長さは適宜変更してもよい）。容器側吸着体としての平面四角形状に形成されたマグネット１３には、その両端を連通する連通孔１４が開口形成されている。前記バンド１２はマグネット１３の連通孔１３ａに挿通されている。図２においてバンド１２の表面の左端部には、複数の微細な係止針（図示略）を有する平面長方形状の合成繊維からなる第１の面ファスナー１５が縫い付けられている。また、バンド１２の裏面の右端部には、前記第１の面ファスナー１４と係合する複数の微細な係止ループ（図示略）を有する平面長方形状の第２の面ファスナー１５が縫い付けられている。なお、面ファスナーについては公知技術であることからここでは詳細な説明は省略する。被固定体側吸着体としての金属プレート１６は前記マグネット１３の平面積と略同面積に形成され、裏面には両面テープ１７が貼付されている。
【０００８】
次にこのような容器ホルダー１１の使用時について説明する。
まず、予め金属プレート１６を、両面テープ１７を介して被固定体（壁、柱、窓ガラス等）Ｗの所望の位置に貼着する。次に図１及び図３に示すようにバンド１２をペットボトルＰの胴部Ｐａの中央部付近に巻き付け、第１の面ファスナー１４を第２の面ファスナー１５に面着させる。このとき、バンド１２とペットボトルＰとの間に隙間ができないようにバンド１２をペットボトルＰの胴部Ｐａに縛り付けるようにして面ファスナー１４、１５を面着させる。そして、マグネット１３が前記金属プレート１６と対向するようにペットボトルＰの向きを変えて金属プレート１６にマグネット１３を吸着させる。ここでペットボトルＰから手を放してもマグネット１３の磁力によりペットボトルＰはバンド１２の胴部Ｐａに巻き付けられた状態でその場所に固定保持される。この状態からペットボトルＰ内の飲料水を飲む際等には、ペットボトルＰを把持して前記マグネット１３の磁力に抗してマグネット１３を金属プレート１６から引き離す。また、ペットボトルＰを破棄する場合には前記面ファスナー１４、１５を引き離すことでペットボトルＰからバンド１２が外れてペットボトルＰのみを破棄することができる。
【０００９】
上記のように構成することで本実施の形態では次のような効果を奏する。
（１）安価な部材で容器ホルダー１１を構成することができることから、従来の成型品よりも大幅に製造コストを低減することができる。
（２）バンド１２は可撓性を有していることからポケット等に入れて持ち歩くことができ携帯性に優れている。
（３）１枚の金属プレート１６で複数の異なるペットボトルＰを固定保持することができる。すなわち、壁等の被固定体Ｗに１枚の金属プレート１６を貼着させておくことで、バンド１２を装着したペットボトルＰであれば、誰でもその金属プレート１６にペットボトルＰを吸着させておくことができる。ただし、金属プレート１６に他のペットボトルＰが吸着されていない場合である。
（４）金属プレート１６を壁等に一旦貼着すれば、再度同じ金属プレート１６を使用できることから経済的である。
（５）マグネット１３と金属プレート１６との吸着により、ペットボトルＰを保持するような構成としたことにより、被固定体Ｗにバンド１２が引っかかるための係合部等が必要なく、ペットボトルＰの固定保持場所の範囲を従来技術よりも大幅に広げることができる。
（６）面ファスナー１４、１５の面着状態（バンド１２の長手方向における面着位置）の調整により、面ファスナー１４、１５を面着させた際のバンド１２の内径を変化させることができる。これにより、１つのバンド１２で外径の異なる多数種のペットボトルＰに対応することができる。
【００１０】
尚、この考案は、次のように変更して具体化することも可能である。
・上記実施の形態では、金属プレート１６を両面テープ１７で壁等の被固定体Ｗに貼着したが、金属プレート１６に吸盤を装着し、同吸盤の吸引力により窓ガラス等の被固定体Ｗに金属プレート１６を固定するように具体化してもよい。
・上記実施の形態では、帯状のバンド１２を使用して具体化したが、このバンド１２に代えて環状のゴムバンドを使用して具体化してもよい。この場合、ゴムバンドの内径はペットボトルＰの外径よりも小径のものとする。ペットボトルＰにゴムバンドを装着した際には、ゴムバンドの収縮力でペットボトルＰが締め付けられ、ゴムバンドからペットボトルが抜け落ちることがない。
・図４に示すように、バンド１２の表側の途中部位に補助バンド２１を同図において上下方向に延びるように垂れ下がるようにして一端側を縫いつける（又は面ファスナーで着脱可能に取着する）。そして、他端側の裏面側に面ファスナー２２を取着するとともに、バンド１２の表側に前記面ファスナー２２が面着する面ファスナー２３を取着する。そして、上記実施の形態と同様にペットボトルの胴部にバンド１２を巻き付けて補助バンド２１をペットボトルの底部を通過させて両面ファスナー２２、２３を面着させる。これにより、補助バンド２１はペットボトルの底部を支える状態となり、ペットボトルがバンド１２から抜け落ちるのを確実に防止することができる。
・容器としてペットボトルの他にコップや缶容器等で具体化してもよい。
・上記実施の形態ではマグネット１３と金属プレート１６を使用し、磁力により容器としてのペットボトルＰを被固定体Ｗに固定保持するようにしたが、バンド１２側と被固定体Ｗ側とに面ファスナーを設け、面ファスナー同士の面着により容器を固定保持するように具体化してもよい。
・その他、本考案の趣旨を逸脱しない態様で実施することは自由である。
【図面の簡単な説明】
【００１１】
【図１】本考案の実施の形態のペットボトル及び容器ホルダーの側面図。
【図２】（ａ）は同じ実施の形態の容器ホルダーの正面図。（ｂ）は容器ホルダーの平面図。
【図３】同じ実施の形態のペットボトルを保持した状態の容器ホルダーの模式的な平面図。
【図４】別の実施の形態の容器ホルダーの正面図。
【符号の説明】
【００１２】
１１…容器ホルダー、１２…バンド、１３…マグネット、１４…第１の面ファスナー、１５…第２の面ファスナー、１６…金属プレート、１７…両面テープ、Ｐ…容器としてのペットボトル、Ｐａ…胴部、Ｗ…被固定体。
【図１】
0003117338.tif 000003
【図２】
0003117338.tif 000004
【図３】
0003117338.tif 000005
【図４】
0003117338.tif 000006